(57)【要約】      （修正有） 【課題】正面枠部分が下縁を中心として前方に１８０度開閉可能とするように構成し、もって、例えば保管用部品等の収容及び取出しが、当該正面部分か自動ラックによる機械的取り出し及び収容と言うような作業工程の採用が可能化されるようにした「棚用折畳みパレット」の提供。【解決手段】折畳みパレットおいて、その正面枠Ａとして、下端縁側において前方に１８０度回動できるように回転自在に枢支するように構成すると共に、正面枠Ａの上端には、正面枠Ａを立ち上がり状態で安定させるための所要の掛け止め金具を設けるように構成する。【選択図】図１
0003141548.tif 000002
【実用新案登録請求の範囲】
【請求項１】
四隅にガイドポスト(３)を設けた床枠(１)の後端縁に背面枠(4)を起伏自在に取り付けると共に、当該ガイドポスト(３)に起伏自在に連結して成る正面側柱体(６)と背面側柱体(７)に対して、左右の側面枠(５，５)を取付け、当該背面枠(４)及び左右の側面枠(５，５)が、床枠(１)上に重ね合わせるような折り畳みが成されるように構成した折畳みパレットおいて、
その正面枠(Ａ)として、立ち上がり状態から折畳みのために内方に９０度、開放のために前方に１８０度回転できるように、その下端縁側に回転自在に枢支するように構成すると共に、当該正面枠(Ａ)の上端には、当該正面枠(Ａ)を立ち上がり状態で安定させるための所要の掛け止め金具を設けて成る棚用折畳みパレット。
【請求項２】
四隅にガイドポスト(３)を設けた床枠(１)の後端縁に背面枠(4)を起伏自在に取り付けると共に、当該ガイドポスト(３)に起伏自在に連結して成る正面側柱体(６)と背面側柱体(７)に対して、左右の側面枠(５，５)を取付け、当該背面枠(４)及び左右の側面枠(５，５)が、床枠(１)上に重ね合わせるような折り畳みが成されるように構成した折畳みパレットおいて、
その正面枠(Ａ)として、その下部フレーム(９)の両端部に開閉制御用丸軸(14，14)を突設すると共に、当該開閉制御用丸軸(14，14)を係合させるための開閉制御用プレート(15)を正面側のガイドポスト(３，３)の内側面に固設し、当該開閉制御用プレート(15)には、
正面枠(Ａ)を内側に折畳んだ状態から垂直状に立ち上がらせた状態に回転させる際にその回動を司る開閉制御用丸軸(14)を安定させるための上向き半円状凹所(16ａ)と、正面枠(Ａ)を垂直状立ち上がり状態から前方に１８０度回転させて開いた状態に転化させる際に当該開閉制御用丸軸(14)を回転自在に保持するための鈎状円弧部(16ｂ)を、前記半円状凹所(16ａ)の前方にしてやや上方位置に形成し、更に、半円状凹所(16ａ)と鈎状円弧部(16ｂ)間を移動する開閉制御用丸軸(14)の離脱を防止するための庇状延長部(16c)を具えた制御用カム溝(16)を形成し、
更に、当該正面枠(Ａ)の上部フレーム(８)の上面両端部寄りには、当該正面枠(Ａ)を立ち上がり状態での安定化を図るためのカンヌキ金具(17)を設けて成る棚用折畳みパレット。
【請求項３】
庇状延長部(16ｃ)の先端前方に開放部(16ｄ)を設けることによって、開閉制御用丸軸(14)の離脱、すなわち、正面枠(Ａ)の取り外しが許容化されるように構成した請求項２に記載の棚用折畳みパレット。
【請求項４】
背面枠を正面枠(Ａ)と同様な構成とすることにより、正背何れの方向からも製品の出し入れができるように構成した請求項１乃至請求項３の何れかに記載の棚用折畳みパレット。
【考案の詳細な説明】
【技術分野】
【０００１】
本考案に係るパレットは、主として自動ラックによる保管及びピッキング用の棚としての利用に供するための棚用折畳みパレットに関する。
【背景技術】
【０００２】
元来、折畳みパレットとは、正背両面枠及び左右両面枠を底面上に重ね合わせて折畳むように構成し、その保管時等に於いては、このような折畳み状態で段積みしておこなうものである。  そして、その使用時には、パレットを箱状に組立てると共に、その上面開口部から所要製品等を収容するように構成したものであった。（例えば、特許文献１参照。）。
【０００３】
【特許文献１】実公平７−２８１１３号公報
【考案の開示】
【考案が解決しようとする課題】
【０００４】
上述したような従来の折畳みパレットの場合、収容物の取り出しは、上面開口部から行うことを原則とするため、例えば自動ラックによる保管及びピッキング用の棚としての利用に供する場合、その収容物の取り出しは手作業に依存することを余儀なくされた。
【０００５】
そして、上記のような自動ラックによる保管及びピッキング用の棚としての利用に供する場合、従来に於いては、床枠を二重構造として空間を作り、当該空間内に取外した正面枠を収容するようにしたものもある。  然し乍、このようなものであると、床枠に空間を作るためにパレットの折畳み状態での高さが増し、そのため輸送効率が低下するばかりでなく、製造上においてもコストアップの要因とされた。  さらに、その作業性に於いても、正面枠の取り外し及び格納を要するために、作業の煩雑性及び迅速性阻害と言うような問題が生じることを余儀なくされた。
【０００６】
本考案は、正面枠部分が下縁を中心として前方に１８０度開閉可能とするように構成することにより、例えば保管用部品等の収容及び取出しが、当該正面部分から自動ラックによる機械的取り出し及び収容と言うような作業工程の採用が可能化されるようにし、以って、前述したような従来の問題点を解決した新規の「棚用折畳みパレット」の提供を図ったものである。
【課題を解決するための手段】
【０００７】
本考案は、四隅にガイドポスト３を設けた床枠１の後端縁に背面枠４を起伏自在に取り付けると共に、当該ガイドポスト３に起伏自在に連結して成る正面側柱体６と背面側柱体７に対して左右の側面枠５，５を取付け、当該背面枠４及び左右の側面枠５，５が、床枠１上に重ね合わせるような折り畳みが成されるように構成した折畳みパレットおいて、
その正面枠(Ａ)として、立ち上がり状態から折畳みのために内方に９０度、開放のために前方に１８０度回転できるように、その下端縁側に回転自在に枢支するように構成すると共に、当該正面枠Ａの上端には、当該正面枠Ａを立ち上がり状態で安定させるための所要の掛け止め金具を設けて成る棚用折畳みパレットに係るものである。
【０００８】
そして本考案は、請求項２に記載のような構成、すなわち、四隅にガイドポスト３を設けた床枠１の後端縁に背面枠４を起伏自在に取り付けると共に、当該ガイドポスト３に起伏自在に連結して成る正面側柱体６と背面側柱体７に対して、左右の側面枠５，５を取付け、当該背面枠４及び左右の側面枠５，５が、床枠１上に重ね合わせるような折り畳みが成されるように構成した折畳みパレットおいて、
その正面枠Ａとして、その下部フレーム９の両端部に開閉制御用丸軸14，14を突設すると共に、当該開閉制御用丸軸14，14を係合させるための開閉制御用プレート15を正面側のガイドポスト３，３の内側面に固設し、当該開閉制御用プレート15には、
正面枠Ａを内側に折畳んだ状態から垂直状に立ち上がらせた状態に回転させる際にその回動を司る開閉制御用丸軸14を安定させるための上向き半円状凹所16ａと、正面枠Ａを垂直状立ち上がり状態から前方に１８０度回転させて開いた状態に転化させる際に当該開閉制御用丸軸14を回転自在に保持するための鈎状円弧部16ｂを、前記半円状凹所16ａの前方にしてやや上方位置に形成し、更に、半円状凹所16ａと鈎状円弧部16ｂ間を移動する開閉制御用丸軸14の離脱を防止するための庇状延長部16cを具えた制御用カム溝16を形成し、
更に、当該正面枠Ａの上部フレーム８の上面両端部寄りには、当該正面枠Ａを立ち上がり状態での安定化を図るためのカンヌキ金具17を設けて成る棚用折畳みパレットを実施の態様とする。
【０００９】
また、請求項３に記載のように、庇状延長部16ｃの先端前方に開放部16ｄを設けることによって、開閉制御用丸軸14の離脱、すなわち、正面枠Ａの取り外しが許容化されるように構成した請求項２に記載の棚用折畳みパレットも実施の態様とする。
【００１０】
更に、請求項４に記載のように、背面枠を正面枠Ａと同様な構成とすることにより、正背何れの方向からも製品の出し入れができるように構成した請求項１乃至請求項３の何れかに記載の棚用折畳みパレットも実施の態様するものである。
【考案の効果】
【００１１】
本考案に係る折畳みパレットは、請求項１に記載のように、四隅にガイドポスト３を設けた床枠１の後端縁に背面枠４を起伏自在に取り付けると共に、当該ガイドポスト３に起伏自在に連結して成る正面側柱体６と背面側柱体７に対して、左右の側面枠５，５を取付け、当該背面枠４及び左右の側面枠５，５が、床枠１上に重ね合わせるような折り畳みが成されるように構成した折畳みパレットおいて、
その正面枠Ａとして、立ち上がり状態から折畳みのために内方に９０度、開放のために前方に１８０度回転できるように、その下端縁側に回転自在に枢支するように構成すると共に、当該正面枠Ａの上端には、当該正面枠Ａを立ち上がり状態で安定させるための所要の掛け止め金具を設けるように構成したから、正面枠Ａ部分を完全に開いた状態に保つことができ、従って、上面開口部から製品の出し入れを行っていた従来の折畳みパレットの場合に生じるその作業の煩雑性、並びに手作業によらなければならないというような作業の限定性は全く解消化されることとなる。
【００１２】
すなわち、本考案に依れば、通常は折畳みパレットとしての従来のパレットと同様な機能を果たし、また、頻繁なる収容製品の出し入れを行う場合（例えば製造工場における部品収容用パレットとしての使用の場合等）、正面枠Ａを１８０度開いた状態に保っておくことにより、その出し入れがパレットの正面から行うことができ、従って、当該正面部分から自動ラックによる機械的取り出し及び収容と言うような作業工程の採用が可能化される。  換言すると、本考案に係る折畳みパレットは、単なる収容用容器と言うよりも、これを多段他列に積層化することにより部品収容用棚枠としての利用が図られ、パレットとしての利用性が著しく高められることとなる。
【００１３】
本考案は請求項２に記載のような構成、すなわち、四隅にガイドポスト３を設けた床枠１の後端縁に背面枠４を起伏自在に取り付けると共に、当該ガイドポスト３に起伏自在に連結して成る正面側柱体６と背面側柱体７に対して、左右の側面枠５，５を取付け、当該背面枠４及び左右の側面枠５，５が、床枠１上に重ね合わせるような折り畳みが成されるように構成した折畳みパレットおいて、
その正面枠Ａとして、その下部フレーム９の両端部に開閉制御用丸軸14，14を突設すると共に、当該開閉制御用丸軸14，14を係合させるための開閉制御用プレート15を正面側のガイドポスト３，３の内側面に固設し、当該開閉制御用プレート15には、
正面枠Ａを内側に折畳んだ状態から垂直状に立ち上がらせた状態に回転させる際にその回動を司る開閉制御用丸軸14を安定させるための上向き半円状凹所16ａと、正面枠Ａを垂直状立ち上がり状態から前方に１８０度回転させて開いた状態に転化させる際に当該開閉制御用丸軸14を回転自在に保持するための鈎状円弧部16ｂを、前記半円状凹所16ａの前方にしてやや上方位置に形成し、更に、半円状凹所16ａと鈎状円弧部16ｂ間を移動する開閉制御用丸軸14の離脱を防止するための庇状延長部16cを具えた制御用カム溝16を形成し、
更に、当該正面枠Ａの上部フレーム８の上面両端部寄りには、当該正面枠Ａを立ち上がり状態での安定化を図るためのカンヌキ金具17を設けるように構成したから、
請求項１の場合に記載したような作用効果が奏されると共に、当該正面枠Ａの開閉作動が極めてシンプルな構造にして確実かつ安定した作動を奏することが出来る。
【００１４】
すなわち、正面枠Ａの開閉作動の制御を、開閉制御用丸軸14，14とこれと係合する制御用カム溝16を具えた開閉制御用プレート15とで行わせるように構成したから、作動の確実化目的の達成が図られると同時に、その構造上のシンプル性に基づき、製造の容易性及び製造コストの低廉性が図られる。
【００１５】
本考案は請求項３に記載のような構成、すなわち、庇状延長部16ｃの先端前方に開放部16ｄを設けることによって、開閉制御用丸軸14の離脱、すなわち、正面枠Ａの取り外しが許容化されるように構成したから、例えば地面直接載置しての使用時等に際しては（通常は棚台等の上に載置して使用することが通例である）、正面枠Ａを取外した状態で使用することにより、当該正面枠Ａの存在が自動ラックによる機械的取り出し時の障害物となることを回避することができる。  然し乍、当該正面枠Ａを内面側に倒してこれを床枠1状に重ねた状態で使用することによって、同様の作用効果を期待することもできる。
【００１６】
本考案は請求項４に記載のような構成、すなわち、背面枠を正面枠Ａと同様な構成とすることにより、正背何れの方向からも製品の出し入れができるように構成することにより、製品の出し入れが正面枠Ａがわに限定されると言うような指向性が排除され、背面枠側からの出し入れ、並びに、正背両面からの出し入れというように、製品の出し入れ作業の多様化を図ることができる。
【考案を実施するための最良の形態】
【００１７】
図面は本考案に係る棚用折畳みパレットの一実施例を表したものである。
図１乃至図３において、１は底面にスキー２を取付けた床枠であって、その四隅にはガイドポスト３が立設されている。  3ａは該ガイドポスト３の下面に突設した連結用突起片であって、組立て状態にある複数のパレットを積重ねる際に、上位に位置するパレットに於ける後記柱体の上端に係合して積重ね状態の安定化を図るためのものである。
【００１８】
４は床枠１の後端縁に対して起伏自在に取付けた背面枠であって、折畳み時には床枠１の上面に対して重ねた状態で倒すことができるように構成してある。
【００１９】
５，５は左右の側面枠であって、その両側縁には正面側柱体６と背面側柱体７が取付けられており、当該両柱体６，７の下端は、前述したガイドポスト３に対して起伏自在に取付けてある。  当該正面側柱体６は、後述するような正面枠Ａに対する固定手段を採るために中空角パイプ材で形成することを要件とするが、背面側柱体７に関してはこのような制約性はなく、単なる角材であっても良い。  然し乍、軽量性及び製造の容易性を考慮した場合、両柱体6，7は何れも中空角パイプ材製とすることが好ましい。
【００２０】
上記した両柱体６，７であるが、これは前記ガイドポスト３に対して、不使用時には内側方向への折畳みが許容され、またパレットとしての使用時には、これが直立状態に保たれように構成してある。  3bは折畳み制御用係止突起であって、上記したような両柱体６，７の折畳み状態での係止安定化を図るためのものである。  
なお、このような正面側柱体６と背面側柱体７のガイドポスト３に対する取付け形態は特許文献１に示されているように公知技術に属し、この種の組立てパレットにあっては常套的手段に属するものである。
【００２１】
ところで、従来の折畳みパレットにあっては、正面枠及び背面枠並びに両側面枠を、床枠の各端縁に対して起伏自在に立ち上がらせるように取付け、折畳み時には床枠１の上面に重ね合わせて倒伏させられるように構成したものであった。
【００２２】
本考案は、その正面枠Ａ部分の構成として、以下に述べるような構成を採ることに依り、立ち上がり状態から折畳みのために内方に９０度、開放のために前方に１８０度回転できるように、その下端縁側に回転自在に枢支するように構成し、これにより、従来のようにパレットの上面開口部からではなく、当該正面枠Ａ部分を前方に全面的に開放可能とすることによって、製品の収容及び取出しが極めて容易に果されると言う、従来には全く無い独自の作用効果が奏せられるようにしたことを特徴とするものである。
【００２３】
図に於いて、上記した正面枠Ａは、上部フレーム８、下部フレーム９、左右の側部フレーム10，11とで矩形状に形成したものであり、図示の実施例においては、当該矩形状の枠体に対して網材12を張設することによって、その内部確認の容易化が図られるような形態としてある。  然し乍、これは絶対的要件ではなく、板材を張設するように構成しても良い。  13は当該正面枠Ａに張設したカードホルダープレートであって、収容製品に対する詳細を表示しておくためのものである。
【００２４】
上記した正面枠Ａの取付け形態であるが、この構成が本考案の要部とするものであり、下記のように構成してある。
【００２５】
14，14は下部フレーム９の両端部に突設した開閉制御用丸軸、15，15は開閉制御用プレートであって、図１に示すように正面側のガイドポスト３，３の内側面に固設してある。  
【００２６】
そして、上記した開閉制御用プレート15は、図４に示すように、鈎状を呈する制御用カム溝16を具えたものであり、当該カム溝16は、正面枠Ａを内側に折畳んだ状態から垂直状に立ち上がらせた状態に回転させる際にその回動を司る開閉制御用丸軸14を安定させるための上向き半円状凹所16ａと、正面枠Ａを垂直状立ち上がり状態から前方に１８０度回転させて開いた状態に転化させるために当該開閉制御用丸軸14の回転自在の保持を行うための鈎状円弧部16ｂを、前記半円状凹所16ａの前方にしてやや上方位置に形成したものである。  16ｃは上記した半円状凹所16ａと鈎状円弧部16ｂ間を移動する開閉制御用丸軸14の離脱を防止するための庇状延長部である。  そして、当該庇状延長部16ｃの先端前方には開放部16ｄを設けることによって、当該開閉制御用丸軸14の離脱、すなわち、正面枠Ａの取り外しが許容化されるように構成してある。
【００２７】
上記のような構成を具えた開閉制御用プレート15の制御用カム溝16に対して、正面枠Ａをその開閉制御用丸軸14を係合させた状態、すなわち、当該正面枠Ａを下端縁において回動自在に係合させて取付けるように構成してある。
【００２８】
17は正面枠Ａの上部フレーム８の上面両端部寄りに設けたカンヌキ金具であって、回転かつ摺動可能な係止用鈎杆17aを正面側柱体６側に出没自在に突入させることによって、当該正面枠Ａを立ち上がらせた状態での安定化が図られるように構成してある。  17ｂは係止用鈎杆17aに固設した回転及び摺動操作用レバーである。  なお、正面枠Ａを立ち上がり状態での係止を図るための手段としては、上記のようなカンヌキ金具17に限定されるものではなく、適宜の係止金具を用いるように構成しても良い。
【００２９】
図１に示す状態において、カンヌキ金具17による係止を解除して、正面枠Ａを図４に示すように、内方に倒してＡ1の状態とすることにより、折畳み状態となり、また、これを前方に１８０度回転させることによりＡ2の状態とすることにより、完全に開かれた状態に転化される。  そして、当該開き状態に移行する際の正面枠Ａは、その開閉制御用丸軸14が、半円状凹所16ａ位置から鈎状円弧部16ｂ位置に移動することによりやや前方に迫出されそして迫出した状態での１８０度の回転が行われるため、扉の下縁部分が床枠４の縁に引っ掛かることなくその垂下状態化に変位させることができる。  従って、半円状凹所16ａから鈎状円弧部16ｂまでの距離は、当該正面枠Ａの上記回動を阻害しない程度の迫出しが行われる寸法に設定することが好ましい。
【００３０】
本考案は、図１及び図２に示す状態において、これを複数単位適宜積み上げて棚枠として利用に供するものであり、製品の出し入れを行う際には、正面枠Ａを既述した如くして前方に１８０度回動させて正面の開放化を図った状態で行うものである。
【００３１】
そして、図１及び図２に示す状態から折畳む際には、背面枠４と正面枠Ａを床枠１上に倒すと共に、正面側柱体６と背面側柱体７をガイドポスト３に対する係止を解除してこれを内方に倒すことにより、左右の側面枠５，５も床枠１上に倒され、これによりパレットは扁平状態に折畳まれることとなり、この状態で保管及び輸送に供されることとなる。
【００３２】
ところで、図示の実施例にあっては正面枠Ａのみが１８０度の回動が許容化されるように構成してあるが、背面枠４も当該正面枠Ａと同様な形態とするように構成することにより、正背何れの方向からの製品の出し入れができるようにすることも可能である。  本考案はこのような形態で実施することもある。
【図面の簡単な説明】
【００３３】
【図１】本考案に係る折畳みパレットの正面図である。
【図２】本考案に係る折畳みパレットの側面図である。
【図３】本考案における説明用たる略図的平面図である。
【図４】本考案の要部を表した作動説明図である。
【符号の説明】
【００３４】
１  床枠
２  スキー
2a  補強枠
３  ガイドポスト
3a  連結用突起片
3b  折畳み制御用係止突起
４  背面枠
５  左右の側面枠
６  正面側柱体
７  背面側柱体
Ａ  正面枠
８  上部フレーム
９  下部フレーム
10  側部フレーム
11  側部フレーム
12  網材
13  カードホルダープレート
14  開閉制御用丸軸
15  開閉制御用プレート
16  制御用カム溝
16a 半円状凹所
16b 鈎状円弧部
16c  庇状延長部
16d  開放部
17   カンヌキ金具
17a  係止用鈎杆
17b  操作用レバー
【図１】
0003141548.tif 000003
【図２】
0003141548.tif 000004
【図３】
0003141548.tif 000005
【図４】
0003141548.tif 000006